(57)【要約】【課題】後付けすることができ、しかも電池交換などのメンテナンスが不要なセンサ装置を提供する。【解決手段】人の有無を検出する人感センサまたは照度を検出する照度センサにより構成されるセンサ部１１と；センサ部１１により検出された情報をワイヤレス送信するワイヤレス送信部１２と；少なくともワイヤレス送信部１２へ電力を供給する太陽電池パネル１３と；照明器具に取り付けるための固定器具３１と；を具備する。【選択図】図１
2008276951.tif 000002
【特許請求の範囲】
【請求項１】
人の有無を検出する人感センサまたは照度を検出する照度センサにより構成されるセンサ部と；
センサ部により検出された情報をワイヤレス送信するワイヤレス送信部と；
少なくともワイヤレス送信部へ電力を供給する太陽電池パネルと；
照明器具に取り付けるための取付部と；
を具備することを特徴とするセンサ装置。
【請求項２】
電源供給を受けて光照射を行う光源と；
光源を保持する筐体部と；
筐体部に取り付けられた請求項１に記載のセンサ装置と；
を具備することを特徴とする照明装置。
【請求項３】
請求項１に記載のセンサ装置と；
センサ装置により送られる情報を受信するワイヤレス受信部を備え、ワイヤレス受信部により受信した情報を送信するセンサ受信器と；
所要範囲を照射する照明負荷と；
センサ受信部より送信された情報を受信して、この情報に基づき照明負荷の照明制御を行う照明主操作盤と；
を具備することを特徴とする照明制御システム。
【発明の詳細な説明】
【技術分野】
【０００１】
この発明は、照明器具に取り付けて用いることが可能なセンサ装置、このセンサ装置を備える照明装置及び、上記センサ装置を含んで構成される照明制御システムに関するものである。
【背景技術】
【０００２】
従来、照明制御システムには人感センサや照度センサが所要位置に配置され、人感センサや照度センサが検出した人の有無に係る情報や照度情報を受けて照明主操作盤から該当する照明負荷へ制御信号を送って照明負荷のオンオフ制御や調光制御を行っていた。
【０００３】
上記のような照明制御システムでは、照明主操作盤と人感センサや照度センサとの間には天井裏など介して伝送線や電源線の配線が行われていることから、後付けで人感センサや照度センサを設けることは困難であった。
【０００４】
これに対し、特許文献１に開示の通り、センサを備えた照明器具が知られており、これを用いることにより、センサを配置することが可能である。しかしながら、センサを備えない旧来の照明器具との交換が必要であり、数多くの照明器具を用いている施設などでは新たな照明器具の導入による負担が大きくなる問題点がある。
【特許文献１】特開２００５−２３５３９８号公報
【０００５】
更に、電池が内蔵されたセンサ装置も知られており、これを後付けすることも考えられるが、定期的な電池交換が必要となり、煩わしいという問題がある。
【発明の開示】
【発明が解決しようとする課題】
【０００６】
本発明は、上記のような照明制御に用いるセンサ装置の問題点を解決せんとしてなされたもので、その目的は、後付けすることができ、しかも電池交換などのメンテナンスが不要なセンサ装置を提供することである。また、上記センサ装置を備えた照明装置及び照明制御システムを提供することを目的とする。
【課題を解決するための手段】
【０００７】
本発明に係るセンサ装置は、人の有無を検出する人感センサまたは照度を検出する照度センサにより構成されるセンサ部と；センサ部により検出された情報をワイヤレス送信するワイヤレス送信部と；少なくともワイヤレス送信部へ電力を供給する太陽電池パネルと；照明器具に取り付けるための取付部と；を具備することを特徴とする。
【０００８】
人感センサは、熱線式などの各種のタイプを許容する。ワイヤレス送信部は赤外線によるワイヤレス通信、電波による無線通信などを許容する。太陽電池パネルは、照明機器の光源による光或いは自然光などを受けて発電する。太陽電池パネルは、その向きを変更可能であることが好適である。取付部は、照明器具の筐体、特にルーバなどに結合される。
【０００９】
本発明に係る照明装置は、電源供給を受けて光照射を行う光源と；光源を保持する筐体部と；筐体部に取り付けられた請求項１に記載のセンサ装置と；を具備することを特徴とする。
【００１０】
本発明に係る照明制御システムは、請求項１に記載のセンサ装置と；センサ装置により送られる情報を受信するワイヤレス受信部を備え、ワイヤレス受信部により受信した情報を送信するセンサ受信器と；所要範囲を照射する照明負荷と；センサ受信部より送信された情報を受信して、この情報に基づき照明負荷の照明制御を行う照明主操作盤と；を具備することを特徴とする。
【発明の効果】
【００１１】
本発明に係るセンサ装置は、太陽電池パネルを備えることにより自装置で電源供給でき、電池交換などのメンテナンスが不要であり、取付部により照明器具に結合するため、後付けして使用する場合に好適である。また、検出した情報をワイヤレス通信によって送信するので、伝送路を容易に確保可能である。
【００１２】
本発明に係る照明装置は、光源を保持する筐体部と、筐体部に取り付けられた請求項１に記載のセンサ装置とを備えるので、光源を受けて太陽電池パネルにより電力供給できると共に、当該照明装置の位置における人の有無検出や照度検出を適切に行うことができる効果がある。
【００１３】
本発明に係る照明制御システムでは、請求項１に記載のセンサ装置により検出された情報を用いて照明負荷の照明制御を行うことができ、後付けのセンサ装置によるシステムの構築が容易であり、システムの変更を安価に適切に行うことができる。
【発明を実施するための最良の形態】
【００１４】
以下、添付図面を参照して本発明に係るセンサ装置、照明装置及び照明制御システムの実施例を説明する。各図において同一の構成要素には、同一の符号を付して重複する説明を省略する。実施例に係るセンサ装置１０は、図１〜図３に示されるように照明器具２０に取り付けられて照明装置３０を構成する。
【００１５】
照明器具２０は、下方が開口している直方体状の筐体２１に、ランプ２２、２２と、ランプ２２を点灯させる点灯回路を備え、点灯回路が電源の供給を受けてランプ２２を点灯するように構成されている。
【００１６】
筐体２１におけるランプ２２、２２よりも照明対象側には、ルーバ２３が設けられている。本実施例では、センサ装置１０がルーバ２３に取り付けられている。
【００１７】
センサ装置１０は、人感センサまたは照度センサであるセンサ部１１と、例えば無線電波通信によるワイヤレス送信部１２と、太陽電池パネル１３を備えている。太陽電池パネル１３により得られた電力はワイヤレス送信部１２へ供給され、ワイヤレス送信部１２が使用する。センサ部１１は、太陽電池パネル１３で得られた電力によって動作させても良いし、太陽電池パネル１３により得られた電力を蓄積するコンデンサや蓄電池などを備えておき、このコンデンサや蓄電池に蓄積された電力を用いて動作させるようにしても良い。
【００１８】
太陽電池パネル１３における裏面の中央部には、先端に摺動球１４を備える軸１５が設けられている。摺動球１４は固定器具３１の端部に設けられた球受部３２内に収容されている。摺動球１４は球受部３２内において全方向へ摺動可能であり、任意の位置で停止するので、太陽電池パネル１３の受光面をランプ２２へ向けて、発電が効率良く行われる位置で停止させた状態とすることができる。
【００１９】
固定器具３１の両端部は、ルーバ２３の幅狭面に当接して挟み込む当接部３３、３３となっており、当接部３３、３３の一方の側部は固定アーム３４により連結されている。当接部３３、３３の一方の側部には、嵌合穴３３ａが形成されており、コ字状の単体アーム３５の折れ曲がった先端部３５ａ、３５ａが上記嵌合穴３３ａに挿入され嵌合可能に構成されている。ルーバ２３の幅狭面に当接する当接部３３、３３の面は、ゴムなどの弾性部材により構成され、ルーバ２３を適切に挟持する構成であることが望ましい。
【００２０】
ルーバ２３にセンサ装置１０が取り付けられた状態において下方に位置する当接部３３には、センサ部１１が取り付けられ、センサ部１１のセンサ面１１ａが下方に向けられている。センサ部１１と当接部３３との結合部分は、上記太陽電池パネル１３における摺動球１４と球受部３２による構成と同様の構成を採用し、センサ部１１のセンサ面１１ａを所望方向へ向けられるように構成しても良い。
【００２１】
以上の通りの固定器具３１を用いて、照明器具２０の筐体２１におけるランプ２２により射出される光を妨げない部分（例えば、図２のような隅の部分）にセンサ装置１０を取り付け、照明装置３０を作成することができる。このため、後付けで人感センサや照度センサを取り付けることができ、照明制御システムのグレードアップなどの場合に極めて好適なものである。
【００２２】
図４に、ルーバ２３の幅（高さ）に合せて伸縮する固定器具３１Ａを備えたセンサ装置１０Ａの実施例を示す。球受部３２の下端部には下方へ延びる突起部３６が設けられ、突起部３６にはコ字状の収納アーム３７が連結されている。
【００２３】
収納アーム３７の下端部を構成するベース３９には上下方向にネジ穴が形成され、このネジ穴に受部材３８のネジ３８ａが螺合されている。受部材３８の上端部にはルーバ２３の幅狭面の一方に当接する当接部３８ｂが設けられ、受部材３８の上端部にはネジ３８ａを回転させるためのレバー３８ｃが設けられている。センサ部１１は、ベース３９の側部に設けられる。
【００２４】
係る構成のセンサ装置１０Ａによれば、ルーバ２３の幅（高さ）が様々なものに取り付けることができ、便利なものである。勿論、ルーバ２３に限らず、蛍光管のランプ２２以外の各種光源（電球やＬＥＤなど）を備える照明器具の適宜な部分に取り付けることができ便利である。
【００２５】
図５には、上記のセンサ装置１０（１０Ａ）を取り付けた照明負荷を用いた照明制御システムの構成図を示す。このシステムは、照明主操作盤における中央制御装置５０に、伝送線５１を介して制御端末器５２−１、５２−２、５２−３、・・・が接続され、制御端末器５２−１、５２−２、５２−３、・・・には、それぞれ、照明負荷５３−１、５３−２、５３−３、・・・が接続されている。
【００２６】
更に、伝送線５１には、ワイヤレス受信部であるセンサ受信器５４が接続されている。また、中央制御装置５０には、ＬＡＮ（ローカルエリアネットワーク）ケーブル５５が接続され、ＬＡＮケーブル５５にはハブ５６とＬＡＮケーブル５７を介してワイヤレス受信部であるセンサ受信器５８が接続されている。
【００２７】
照明負荷５３−１、５３−２、５３−３、・・・には、センサ装置５９−１、５９−２、５９−３、・・・が設けられている。センサ装置５９−１、５９−２、５９−３、・・・は、人感センサまたは照度センサのセンサ部を備える。ここで、ＬＡＮを用いてセンサ受信器５８を接続する理由は、センサ装置５９−１、５９−２、５９−３、・・・は、例えば設定されたインターバル等で人の有無に係る情報や照度情報を送信するものであり、照明に関する制御信号が伝送される伝送線５１を用いて全てのセンサ装置の情報を送ると、トラフィックが増大し、場合によっては照明に関する制御信号が適切に伝送されない事態を引き起こす可能性があるからである。
【００２８】
以上のように構成された照明制御システムでは、センサ装置５９−１、５９−２、５９−３、・・・のアドレス及び、制御端末器５２−１、５２−２、５２−３、・・・のアドレスが中央制御装置５０に設定されている。
【００２９】
また、センサ装置５９−１、５９−２、５９−３、・・・の内、人感センサであるセンサ装置から人の有無に係る情報が送られ、当該情報に変化があった場合にどのような照明制御を行うかを示す処理シーケンスプログラムが中央制御装置５０に備えられている。例えば、人感センサであるセンサ装置から送られる情報が「人有り」から「人無し」へ変化した場合には、所定時間を使って調光レベルを所定レベルづつ低下させる調光制御を行うなどのプログラムが備えられている。また、送られたセンサ装置のアドレスにより制御端末器５２−１、５２−２、５２−３、・・・内のいずれに対して制御を行うかに関する制御プログラムが備えられている。
【００３０】
また、センサ装置５９−１、５９−２、５９−３、・・・の内、照度センサであるセンサ装置から照度に関する情報が送られ、当該情報に変化があった場合にどのような照明制御を行うかを示す処理シーケンスプログラムが中央制御装置５０に備えられている。例えば、照度情報（レベル）と調光レベルとが対応付けられたメモリテーブルが備えられ、これに基づき調光制御を行うなどのプログラムが備えられている。また、送られたセンサ装置のアドレスにより制御端末器５２−１、５２−２、５２−３、・・・内のいずれに対して制御を行うかに関する制御プログラムが備えられている。
【００３１】
センサ装置５９−１、５９−２、５９−３、・・・からは、予め定められたインターバル等で情報及びセンサ装置アドレスが送信される。この情報及びセンサ装置アドレスはセンサ受信器５４またはセンサ受信器５８に受信され、中央制御装置５０へ送られる。
【００３２】
中央制御装置５０は、上記情報及びセンサ装置アドレスを受け取り、前述の通りのプログラムに基づき照明制御情報（調光レベル或いはオンオフ情報等）を作成し、センサ装置アドレスに対応する制御端末器５２−１、５２−２、５２−３、・・・内の所定の制御端末器へ作成した照明制御情報を送る。斯して、本照明制御システムにより、照度や人の有無に応じた適切な照明制御がなされるものである。
【００３３】
なお、上記システムでは、全ての照明負荷５３−１、５３−２、５３−３、・・・にセンサ装置を設けたが、必要なものに設けることは当然である。また、センサ受信器５４、５８の数は一例であり、必要数設けられる。また、センサ受信器５４、５８のいずれか一方のみを設けても良い。
【図面の簡単な説明】
【００３４】
【図１】本発明の第１の実施例に係るセンサ装置の構成を示す側面図。
【図２】本発明の実施例に係る照明装置の構成を示す照射面側から見た状態の平面図。
【図３】本発明の実施例に係る照明装置の構成を示す部分断面図。
【図４】本発明の第２の実施例に係るセンサ装置の構成を示す側面図。
【図５】本発明の実施例に係る照明制御システムの構成を示すブロック図。
【符号の説明】
【００３５】
１０、１０Ａ  センサ装置
１１  センサ部
１２  ワイヤレス送信部
１３  太陽電池パネル
２０  照明器具
２１  筐体
２２  ランプ
２３  ルーバ
３０  照明装置
３１、３１Ａ  固定器具
３７  収納アーム
３８  受部材
３８ａ  ネジ
３８ｂ  当接部
３８ｃ  レバー
５０  中央制御装置
５１  伝送線
５２−１、５２−１、５２−１・・・  制御端末器
５３−１、５３−１、５３−１・・・  照明負荷
５４、５８  センサ受信器
５５、５７  ＬＡＮケーブル
５６  ハブ
５９−１、５９−１、５９−１・・・  センサ装置
【図１】
2008276951.tif 000003
【図２】
2008276951.tif 000004
【図３】
2008276951.tif 000005
【図４】
2008276951.tif 000006
【図５】
2008276951.tif 000007